(57)【要約】【課題】乗員の意志を反映させて空調制御及び燃料冷却を行うことができる車両用燃料冷却装置を提供する。【解決手段】車両用燃料冷却装置は、車両用空調装置の冷媒の一部を用いて燃料を冷却するものであって、車両用空調装置の冷媒の循環経路に接続されて冷媒の一部を車両用空調装置におけるエバポレーター１１を迂回させて循環させる迂回通路２６と、迂回通路２６に設けられて同迂回通路２６を流れる冷媒との熱交換により燃料タンク４に戻される燃料を冷却する燃料冷却部２７と、迂回通路２６を流れる冷媒の量を調節する電磁弁２８と、電磁弁２８を制御する電磁弁制御部２９と、電磁弁制御部２９による電磁弁２８の制御モードを切り替える電磁弁制御モード切り替えスイッチ３３と、を備えている。【選択図】図１
2015117866.tif 000002
【特許請求の範囲】
【請求項１】
車両用空調装置の冷媒の一部を用いて燃料を冷却する車両用燃料冷却装置であり、
前記車両用空調装置の冷媒の循環経路に接続され、冷媒の一部を前記車両用空調装置における空気冷却部を迂回させて循環させる迂回通路と、
同迂回通路に設けられ、同迂回通路を流れる冷媒との熱交換により燃料タンクに戻される燃料を冷却する燃料冷却部と、
前記迂回通路を流れる冷媒の量を調節する電磁弁と、
前記電磁弁を制御する制御部と、
前記制御部による前記電磁弁の制御モードを切り替える切り替え装置と、を備えた
車両用燃料冷却装置。
【請求項２】
前記制御部は、切り替え可能な制御モードとして、
車室冷房の状態に応じて電磁弁を制御する自動制御モードと、
前記自動制御モードよりも前記迂回通路を流れる冷媒の量が少なくなるように前記電磁弁を制御する空気冷却優先モードと、を含む
請求項１に記載の車両用燃料冷却装置。
【請求項３】
前記制御部は、空気冷却優先モードが選択されているときには、前記迂回通路を流れる冷媒の量が最も少なくなるように前記電磁弁を制御する
請求項２に記載の車両用燃料冷却装置。
【請求項４】
前記制御部は、切り替え可能な制御モードとして、
車室冷房の状態に応じて電磁弁の開度を変更する自動制御モードと、
前記自動制御モードよりも前記迂回通路を流れる冷媒の量が多くなるように前記電磁弁を制御する燃料冷却優先モードと、を含む
請求項１〜３のいずれか一項に記載の車両用燃料冷却装置。
【請求項５】
前記制御部は、燃料冷却優先モードが選択されているときには、前記迂回通路を流れる冷媒の量が最も多くなるように前記電磁弁を制御する
請求項４に記載の車両用燃料冷却装置。
【請求項６】
前記制御部は、自動制御モードが選択されているときには、車室冷房の負荷が高いほど前記迂回通路を流れる冷媒の量を少なくするように前記電磁弁を制御する
請求項２〜５のいずれか一項に記載の車両用燃料冷却装置。
【請求項７】
前記制御部は、切り替え可能な制御モードとして、
燃料タンクの状態に応じて電磁弁を制御する自動制御モードと、
前記自動制御モードよりも前記迂回通路を流れる冷媒の量が少なくなるように前記電磁弁を制御する空気冷却優先モードと、を含む
請求項１に記載の車両用燃料冷却装置。
【請求項８】
前記制御部は、空気冷却優先モードが選択されているときには、前記迂回通路を流れる冷媒の量が最も少なくなるように前記電磁弁を制御する
請求項７に記載の車両用燃料冷却装置。
【請求項９】
前記制御部は、切り替え可能な制御モードとして、
燃料タンクの状態に応じて電磁弁を制御する自動制御モードと、
前記自動制御モードよりも前記迂回通路を流れる冷媒の量が多くなるように前記電磁弁を制御する燃料冷却優先モードと、を含む
請求項１又は７又は８のいずれか一項に記載の車両用燃料冷却装置。
【請求項１０】
前記制御部は、燃料冷却優先モードが選択されているときには、前記迂回通路を流れる冷媒の量が最も多くなるように前記電磁弁を制御する
請求項９に記載の車両用燃料冷却装置。
【請求項１１】
前記制御部は、自動制御モードが選択されているときには、燃料タンク内の圧力が高いほど前記迂回通路を流れる冷媒の量を多くするように前記電磁弁を制御する
請求項７〜１０のいずれか一項に記載の車両用燃料冷却装置。
【発明の詳細な説明】
【技術分野】
【０００１】
本発明は、車両に設けられる空調装置の冷媒を用いて燃料を冷却する車両用燃料冷却装置に関する。
【背景技術】
【０００２】
従来、燃料として液化石油ガス（以下、ＬＰＧという）等の液化ガス燃料を用いる車両が知られている。こうした車両では、液化ガス燃料を燃料噴射弁から燃焼室に噴射する一方、噴射されなかった余剰な燃料を燃料タンクに戻すようにしている。
【０００３】
特許文献１には、車室に送風する空気を冷却する車室冷却系と燃料を冷却する燃料冷却系とを備える車両用の空調装置が開示されている。車室冷却系では、冷凍サイクルを利用して車室内に導入される空気を冷却する。すなわち、コンプレッサーによって圧縮された冷媒が蒸発器で気化する際の気化熱を利用して同蒸発器を通過する空気を冷却し、この冷却された空気を車室内に導入する。車室冷却系には、電磁弁を介して燃料冷却系が接続されており、電磁弁が開弁すると車室冷却系の冷媒が燃料冷却系に供給される。燃料冷却系では、燃料噴射弁に供給された燃料を燃料タンクに戻す際に、燃料と冷媒との熱交換を行うことによって燃料を冷却する。なお、特許文献１に記載の装置では、空調装置の負荷に基づいて電磁弁を制御し、空調装置の負荷が許容範囲を越えているときに燃料冷却系に流れる冷媒の量を増大させるようにしている。
【先行技術文献】
【特許文献】
【０００４】
【特許文献１】特開平８‐４００５９号公報
【発明の概要】
【発明が解決しようとする課題】
【０００５】
ところで、特許文献１に記載の装置では、空調装置の負荷に基づいて自動的に電磁弁が制御されるため、乗員が車室の温度を速やかに低下させたいと思っているときであっても、空調装置の負荷が高い場合には燃料冷却系に冷媒が多く供給されるように電磁弁が制御されてしまう場合がある。このため、車室冷却系に供給される冷媒の量が減少し、車室の温度を速やかに低下させることができなくなってしまう。したがって、上記特許文献１に記載の装置では、乗員にとって快適な空調制御を行うにあたり未だ改善の余地がある。
【０００６】
本発明は、こうした課題に鑑みてなされたものであり、その目的は、乗員の意志を反映させて空調制御及び燃料冷却を行うことができる車両用燃料冷却装置を提供することにある。
【課題を解決するための手段】
【０００７】
上記課題を解決するための車両用燃料冷却装置は、車両用空調装置の冷媒の一部を用いて燃料を冷却するものであって、車両用空調装置の冷媒の循環経路に接続されて冷媒の一部を車両用空調装置における空気冷却部を迂回させて循環させる迂回通路と、迂回通路に設けられて同迂回通路を流れる冷媒との熱交換により燃料タンクに戻される燃料を冷却する燃料冷却部と、迂回通路を流れる冷媒の量を調節する電磁弁と、電磁弁を制御する制御部と、制御部による電磁弁の制御モードを切り替える切り替え装置と、を備えている。
【０００８】
上記構成では、例えば、電磁弁を全閉状態に保持したり、全開状態に保持したりするといった電磁弁の制御モードを、乗員が切り替え装置を操作することによって切り替えることができるようになる。このため、乗員は、切り替え装置を操作することで、燃料冷却部と空気冷却部とに流れる冷媒の量を調節することができ、燃料冷却部に流れる冷媒の量を減少させて車室に送風される空気の冷却を優先的に行ったり、燃料冷却部に流れる冷媒の量を増大させて燃料の冷却を優先的に行ったりすることができる。したがって、上記構成によれば、乗員の意志を反映させて空調制御及び燃料冷却を行うことができるようになる。
【０００９】
また、上記車両用燃料冷却装置の制御部は、切り替え可能な制御モードとして、車室冷房の状態に応じて電磁弁を制御する自動制御モードと、自動制御モードよりも迂回通路を流れる冷媒の量が少なくなるように電磁弁を制御する空気冷却優先モードと、を含むことが望ましい。
【００１０】
上記構成によれば、切り替え装置を操作して自動制御モードを選択することにより、車室冷房の状態の変化に応じて電磁弁の開度が自動的に制御されるようになる。
一方で、切り替え装置を操作して空気冷却優先モードを選択することにより、自動制御モードが選択されているときよりも迂回通路を流れる冷媒の量を少なくして空気冷却部を流れる冷媒の量を増やし、車室に送風される空気の冷却をより優先させることもできるようになる。そして、こうした空気冷却優先モードを選択すれば、自動制御モードが選択されているときよりも車室の温度を速やかに低下させることができるようになる。
【００１１】
なお、車室の温度を速やかに低下させる上では、空気冷却優先モードが選択されているときに迂回通路を流れる冷媒の量が最も少なくなるように電磁弁を制御することが望ましい。これにより、迂回通路に流れ込む冷媒の量を可能な限り少なくして空気冷却部を通過する冷媒の量を可能な限り多くし、空気の冷却を効率よく行うことができるようになる。
【００１２】
また、上記車両用燃料冷却装置の制御部は、切り替え可能な制御モードとして、車室冷房の状態に応じて電磁弁の開度を変更する自動制御モードと、自動制御モードよりも迂回通路を流れる冷媒の量が多くなるように電磁弁を制御する燃料冷却優先モードと、を含むことが望ましい。
【００１３】
液化ガス燃料のように温度によって体積が大きく変化する燃料を使用している場合には、燃料タンク内の燃料温度が高いときに燃料タンク内の圧力が高くなり、燃料タンクへの燃料の補充が困難になるおそれがある。
【００１４】
上記構成によれば、切り替え装置を操作して自動制御モードを選択することにより、車室冷房の状態の変化に応じて電磁弁の開度が自動的に制御されるようになる。
一方で、切り替え装置を操作して燃料冷却優先モードを選択することにより、自動制御モードが選択されているときよりも迂回通路を流れる冷媒の量を多くして燃料の冷却を優先させることもできるようになる。そして、こうした燃料冷却優先モードを選択すれば、自動制御モードが選択されているときよりも燃料の温度を低下させることができる。これにより、燃料タンクに戻される燃料の温度が低下して燃料タンク内の圧力が低下するため、燃料の補充を容易に行うことができる状態を作り出すことができる。
【００１５】
なお、燃料の温度を低下させる上では、燃料冷却優先モードが選択されているときに迂回通路を流れる冷媒の量が最も多くなるように電磁弁を制御することが望ましい。これにより、燃料冷却部を通過する冷媒の量を可能な限り多くし、燃料の冷却を効率よく行うことができるようになる。
【００１６】
また、上記制御部は、自動制御モードが選択されているときには、車室冷房の負荷が高いほど迂回通路を流れる冷媒の量を少なくするように電磁弁を制御することが望ましい。
上記構成によれば、車室冷房の負荷が高いときほど空気冷却部を通過する冷媒の量が多くなり、空気を冷却する能力が自動的に高められる。そのため、速やかに車室の温度を低下させ、車室冷房の負荷が高い状態を速やかに解消することができるようになる。したがって、コンプレッサーの駆動量やブロワーの駆動量等を少なくし、空調装置を駆動するための仕事量を少なくすることによって燃費の向上を図ることができる。
【００１７】
また、上記車両用燃料冷却装置の制御部では、切り替え可能な制御モードとして、燃料タンクの状態に応じて電磁弁を制御する自動制御モードと、自動制御モードよりも迂回通路を流れる冷媒の量が少なくなるように電磁弁を制御する空気冷却優先モードと、を含むようにしてもよい。
【００１８】
上記構成によれば、切り替え装置を操作して自動制御モードを選択することにより、燃料タンクの状態の変化に応じて電磁弁の開度が自動的に制御されるようになる。このため、燃料タンク内の圧力が高くなったときに迂回通路を流れる冷媒の量を増やすように自動的に電磁弁が制御され、燃料冷却部による燃料の冷却が促進されて燃料タンク内の圧力が低下するようになる。
【００１９】
一方で、切り替え装置を操作して空気冷却優先モードを選択することにより、自動制御モードが選択されているときよりも迂回通路を流れる冷媒の量を少なくして空気冷却部を流れる冷媒の量を増やし、車室に送風される空気の冷却をより優先させることもできるようになる。そして、こうした空気冷却優先モードを選択すれば、自動制御モードが選択されているときよりも車室の温度を速やかに低下させることができるようになる。
【００２０】
なお、車室の温度を速やかに低下させる上では、空気冷却優先モードが選択されているときに迂回通路を流れる冷媒の量が最も少なくなるように電磁弁を制御することが望ましい。これにより、迂回通路に流れ込む冷媒の量を可能な限り少なくして空気冷却部を通過する冷媒の量を可能な限り多くし、空気の冷却を効率よく行うことができるようになる。
【００２１】
また、上記車両用燃料冷却装置の制御部は、切り替え可能な制御モードとして、燃料タンクの状態に応じて電磁弁を制御する自動制御モードと、自動制御モードよりも迂回通路を流れる冷媒の量が多くなるように電磁弁を制御する燃料冷却優先モードと、を含むようにしてもよい。
【００２２】
液化ガス燃料のように温度によって体積が大きく変化する燃料を使用している場合には、燃料タンク内の燃料温度が高いときに燃料タンク内の圧力が高くなり、燃料タンクへの燃料の補充が困難になるおそれがある。
【００２３】
上記構成によれば、切り替え装置を操作して自動制御モードを選択することにより、燃料タンクの状態の変化に応じて電磁弁の開度が自動的に制御されるようになる。このため、燃料タンク内の圧力が高くなったときに迂回通路を流れる冷媒の量を増やすように自動的に電磁弁が制御され、燃料冷却部による燃料の冷却が促進されて燃料タンク内の圧力が低下するようになる。
【００２４】
一方で、切り替え装置を操作して燃料冷却優先モードを選択することにより、自動制御モードが選択されているときよりも迂回通路を流れる冷媒の量を多くして燃料の冷却を更に促進させることもできるようになる。そして、こうした燃料冷却優先モードを選択すれば、自動制御モードが選択されているときよりも燃料の温度を速やかに低下させることができる。
【００２５】
なお、燃料の温度を低下させる上では、燃料冷却優先モードが選択されているときに迂回通路を流れる冷媒の量が最も多くなるように電磁弁を制御することが望ましい。これにより、燃料冷却部を通過する冷媒の量を可能な限り多くし、燃料の冷却を効率よく行うことができるようになる。
【００２６】
また、上記制御部は、自動制御モードが選択されているときには、燃料タンク内の圧力が高いほど迂回通路を流れる冷媒の量を多くするように電磁弁を制御することが望ましい。
【００２７】
上記構成によれば、燃料タンク内の圧力が高いほど燃料冷却部を通過する冷媒の量が多くなり、燃料を冷却する能力が自動的に高められる。このため、燃料タンク内の圧力が高くなると、自動的に燃料タンクに戻される燃料の温度が低下し、燃料タンク内の圧力が過度に上昇することが抑制されるようになる。
【図面の簡単な説明】
【００２８】
【図１】車両用燃料冷却装置の第１の実施形態の全体構成を模式的に示す略図。
【図２】同実施形態の制御モードに応じた電磁弁の制御にかかる一連の処理の流れを示すフローチャート。
【図３】同実施形態における自動制御モードの一連の処理の流れを示すフローチャート。
【図４】同実施形態において電磁弁が全開状態に保持されたときの冷媒の流れを示す模式図。
【図５】第２の実施形態の車両用燃料冷却装置における自動制御モードの一連の処理の流れを示すフローチャート。
【図６】第３の実施形態の車両用燃料冷却装置において実施されるこもり臭制御における制御の推移を示すグラフであり、（ａ）はブラワーの駆動量、（ｂ）は空気吹き出し口の制御の推移を示す。
【図７】同実施形態における自動制御モードの一連の処理の流れを示すフローチャート。
【図８】第４の実施形態の車両用燃料冷却装置における自動制御モードの一連の処理の流れを示すフローチャート。
【図９】第５の実施形態の車両用燃料冷却装置における自動制御モードの一連の処理の流れを示すフローチャート。
【図１０】第６の実施形態の車両用燃料冷却装置における自動制御モードの一連の処理の流れを示すフローチャート。
【図１１】第７の実施形態の車両用燃料冷却装置における自動制御モードの一連の処理の流れを示すフローチャート。
【図１２】第８の実施形態の車両用燃料冷却装置を備える車両の概略構成を示す模式図。
【図１３】同実施形態における自動制御モードの一連の処理の流れを示すフローチャート。
【図１４】第９の実施形態の車両用燃料冷却装置における自動制御モードの一連の処理の流れを示すフローチャート。
【図１５】同実施形態における燃料補充可能条件の判定処理にかかる一連の処理の流れを示すフローチャート。
【図１６】第１０の実施形態の車両用燃料冷却装置における制御モードに応じた電磁弁の制御にかかる一連の処理の流れを示すフローチャート。
【発明を実施するための形態】
【００２９】
（第１の実施形態）
以下、車両用燃料冷却装置の第１の実施形態について、図１〜図４を参照して説明する。なお、以下では、ＬＰＧを燃料として用いる車両を例に説明する。
【００３０】
図１に示すように、車両には、駆動源としてのエンジン１が搭載されている。エンジン１には、燃料を噴射する燃料噴射弁２が設けられている。燃料噴射弁２には、燃料供給通路３を通じて燃料タンク４に貯留された燃料が供給される。一方、燃料噴射弁２にて噴射されなかった余剰な燃料は、リターン通路５を通じて燃料タンク４に戻される。燃料タンク４には、燃料タンク４内の圧力が所定圧以上となったときに自動で開弁する安全弁６が設けられている。
【００３１】
また、車両には、車室の空気調節を行う空調装置が設けられている。空調装置は、冷媒を圧縮する電気駆動式のコンプレッサー７と、コンプレッサー７により圧縮されて高温となった冷媒を冷却するコンデンサー８と、コンデンサー８を通過した冷媒の気液分離を行うレシーバー９とを備えている。また、空調装置は、レシーバー９を通過した冷媒を霧化させるエキスパンションバルブ１０と、霧化した冷媒の気化熱を利用して車室内に導入される空気を冷却する空気冷却部として機能するエバポレーター１１と、エバポレーター１１に供給する空気の量を調節するブロワー１２とを備えている。なお、エバポレーター１１及びブロワー１２は、車室内や車室外から空気が導入される吸気ダクト１３に配設されている。こうした空調装置では、コンプレッサー７の駆動に伴い、図１に矢印で示すように冷媒が循環する。
【００３２】
また、空調装置は、吸気ダクト１３に設けられるヒーターコア１４を有している。ヒーターコア１４にはエンジン１内部を循環して温められた冷却水が導入される。ヒーターコア１４は、冷却水との熱交換によって同ヒーターコア１４を通過する空気を温める。吸気ダクト１３には、ヒーターコア１４に流れる空気の量を制御するエアミックスダンパ１５が設けられている。空調装置はこのエアミックスダンパ１５の開度を制御することによって、エバポレーター１１により冷却された空気とヒーターコア１４により温められた空気との混合割合を制御して、車室内に導入される空気の温度を制御する。なお、エアミックスダンパ１５の開度が大きいほど、車室に導入される空気のうちヒーターコア１４を通過した空気の割合が多くなる。
【００３３】
車室１６には、乗員が空調装置を操作するためのスイッチ類が設けられている。例えば、空調装置を駆動させるためのエアコンスイッチ１７や、空気の吹き出し口を切り替える吹き出し口切り替えダイアル１８、デフロスターを駆動させるためのデフロスタースイッチ１９、車室１６内の温度を設定するための温度設定スイッチ２０等が設けられている。
【００３４】
空調装置を制御する電子制御部２１は、こうしたスイッチ類からの信号や、車両に設けられる各センサからの信号に基づいて、空調装置を制御する。各センサとしては、車室１６内の温度（内気温）を検出する車室内温度センサ２２、外気温を検出する外気温センサ２３、日射量を検出する日射量センサ２４、エバポレーター１１の温度を検出するエバポレーター温度センサ２５等がある。
【００３５】
電子制御部２１は、各センサからの検出信号と、乗員により操作されたスイッチ類の信号に基づき、車室１６内に導入される空気の目標吹き出し温度（以下、ＴＡＯという）を算出する。そしてこれに合わせて、エアミックスダンパ１５、コンプレッサー７、及びブロワー１２の駆動量等を制御する。
【００３６】
こうした空調装置において、レシーバー９とエキスパンションバルブ１０との間を流れる冷媒の循環通路には、迂回通路２６の一端が接続されている。迂回通路２６の他端は、エバポレーター１１とコンプレッサー７との間を流れる冷媒の循環経路に接続されている。すなわち、迂回通路２６は空調装置の冷媒の一部をエバポレーター１１を迂回させて循環させる。迂回通路２６には、同迂回通路２６を流れる冷媒との熱交換によりリターン通路５を流れる燃料を冷却する燃料冷却部２７が設けられている。迂回通路２６において燃料冷却部２７よりも冷媒の流れ方向上流側の部分には、同迂回通路２６を流れる冷媒の量を調節する電磁弁２８が設けられている。
【００３７】
上記電子制御部２１には、電磁弁２８を制御する電磁弁制御部２９が設けられている。電磁弁制御部２９には、上記センサ類の他、燃料タンク４内の圧力を検出する圧力センサ３０、燃料タンク４内の燃料温度を検出する燃料温度センサ３１、燃料タンク４に貯留された燃料の残量を検出する燃料量センサ３２等から信号が入力される。また、車室１６に設けられた電磁弁制御モード切り替えスイッチ３３からも信号が入力される。そして、これらのセンサ類の信号に基づいて電磁弁２８を制御する。
【００３８】
なお、電磁弁制御部２９には、電磁弁制御モード切り替えスイッチ３３によって切り替え可能な電磁弁２８の制御モードとして、自動制御モード、空気冷却優先モード、燃料冷却優先モードの３つの制御モードが設けられている。自動制御モードは、車室冷房の状態に応じて電磁弁２８を開閉するモードであり、空気冷却優先モードは、自動制御モードよりも迂回通路２６を流れる冷媒の量が少なくなるように電磁弁２８を常時全閉状態に保持するモードである。また、燃料冷却優先モードは、自動制御モードよりも迂回通路２６を流れる冷媒の量が多くなるように電磁弁２８を常時全開状態に保持するモードである。
【００３９】
電磁弁２８の制御モードは、電磁弁制御モード切り替えスイッチ３３が押される度に切り替えられる。すなわち、電磁弁２８の制御モードが自動制御モードに設定されているときに電磁弁制御モード切り替えスイッチ３３が押されると、電磁弁２８の制御モードが燃料冷却優先モードに切り替えられる。そして、電磁弁２８の制御モードが燃料冷却優先モードに設定されているときに同スイッチ３３が押されると、電磁弁２８の制御モードが空気冷却優先モードに切り替えられる。また、電磁弁２８の制御モードが空気冷却優先モードに設定されているときに同スイッチ３３が押されると、電磁弁２８の制御モードが自動制御モードに切り替えられる。このように、電磁弁制御モード切り替えスイッチ３３が押される度に、電磁弁２８の制御モードが、燃料冷却優先モード、空気冷却優先モード、及び自動制御モードの順に切り替えられる。
【００４０】
次に、図２を参照して、電磁弁制御部２９における電磁弁２８の制御態様について説明する。この処理は、電磁弁制御部２９によって所定周期毎に繰り返し実行される。
図２に示すように、本処理ではまず、電磁弁２８の制御モードが燃料冷却優先モードに設定されているか否かを判定する（ステップＳ２１）。電磁弁２８の制御モードが燃料冷却優先モードに設定されている場合（ステップＳ２１：ＹＥＳ）には、次にエアコンスイッチ１７がＯＮであるか否かを判定する（ステップＳ２２）。そして、この処理においてエアコンスイッチ１７がＯＮであると判定されると（ステップＳ２２：ＹＥＳ）、電磁弁２８を全開状態に保持して（ステップＳ２３）、本処理を終了する。
【００４１】
一方、ステップＳ２２の処理においてエアコンスイッチ１７がＯＦＦであると判定した場合（ステップＳ２２：ＮＯ）には、空調装置が駆動状態にないため、空調装置を駆動し（ステップＳ２４）、電磁弁２８を全開状態に保持する（ステップＳ２３）。そして、本処理を終了する。
【００４２】
また、電磁弁２８の制御モードが燃料冷却優先モードに設定されていない場合（ステップＳ２１：ＮＯ）には、電磁弁２８の制御モードが空気冷却優先モードに設定されているか否かを判定する（ステップＳ２５）。電磁弁２８の制御モードが空気冷却優先モードに設定されている場合（ステップＳ２５：ＹＥＳ）には、エアコンスイッチ１７がＯＮであるか否かを判定する（ステップＳ２６）。そして、この処理においてエアコンスイッチ１７がＯＮであると判定されると（ステップＳ２６：ＹＥＳ）、電磁弁２８を全閉状態に保持して（ステップＳ２７）、本処理を終了する。
【００４３】
一方、ステップＳ２６の処理においてエアコンスイッチ１７がＯＦＦであると判定した場合（ステップＳ２６：ＮＯ）には、空調装置が駆動状態にないため、空調装置を駆動し（ステップＳ２８）、電磁弁２８を全閉状態に保持する（ステップＳ２７）。そして、本処理を終了する。
【００４４】
また、ステップＳ２１及びステップＳ２５の処理において否定判定となった場合（ステップＳ２１：ＮＯ、ステップＳ２５：ＮＯ）は、電磁弁２８の制御モードが燃料冷却優先モード、空気冷却優先モードのいずれにも設定されておらず、自動制御モードに設定されている場合である。そのため、この場合には、電磁弁２８を自動制御して（ステップＳ２９）、本処理を終了する。
【００４５】
次に、図３を参照して、自動制御モードにおける電磁弁２８の制御態様について説明する。
図３に示すように、自動制御モードでは、まず、エアコンスイッチ１７がＯＮであるか否かを判定する（ステップＳ３１）。この処理においてエアコンスイッチ１７がＯＦＦであると判定した場合（ステップＳ３１：ＮＯ）には、電磁弁２８を全閉状態に保持して（ステップＳ３３）、本処理を終了する。
【００４６】
一方、ステップＳ３１の処理においてエアコンスイッチ１７がＯＮであると判定した場合（ステップＳ３１：ＹＥＳ）には、次に車室冷房が高負荷状態であるか否かを判定する（ステップＳ３２）。
【００４７】
なお、電磁弁制御部２９は、次の条件（イ）〜（ホ）が全て成立したときに車室冷房が高負荷状態であると判定する。
条件（イ）：外気温度が所定温度Ｔｇ１以上である。
【００４８】
条件（ロ）：車室内温度が所定温度Ｔｎ１以上である。
条件（ハ）：エバポレーター温度が所定温度Ｔｅ１以上である。
条件（ニ）：ブロワー１２の駆動量が所定値Ｑ１以上である。
【００４９】
条件（ホ）：エアミックスダンパ１５の開度が所定開度θ１以下である。
そして車室冷房が高負荷状態であると判定した場合（ステップＳ３２：ＹＥＳ）には、電磁弁２８を全閉状態に保持する（ステップＳ３３）。一方、ステップＳ３２の処理において車室冷房が高負荷状態でないと判定した場合（ステップＳ３２：ＮＯ）には、電磁弁２８を全開状態に保持する（ステップＳ３４）。こうした電磁弁２８の制御を実行すると本処理を終了する。
【００５０】
次に、本実施形態の作用について説明する。
本実施形態では、車室１６に電磁弁制御モード切り替えスイッチ３３が設けられており、このスイッチ３３を押すことにより電磁弁２８の制御モードを切り替えることができる。
【００５１】
電磁弁２８の制御モードが自動制御モードに設定されているときには、車室冷房の状態に応じて電磁弁２８が開閉される。上記条件（イ）〜（ホ）が全て成立し、車室冷房が高負荷状態の場合には、電磁弁２８が全閉状態に保持され、迂回通路２６に流れる冷媒の量が０となる。これにより、エバポレーター１１を通過する冷媒の量が可能な限り多くなり、空気を冷却する能力が自動的に高められる。その結果、車室１６内の温度が速やかに低下し、車室冷房の負荷が高い状態が早期に解消される。一方、上記条件（イ）〜（ホ）のうち少なくとも一つが不成立となり、車室冷房が高負荷状態でない場合には、電磁弁２８が全開状態に保持されるため、図４に矢印で示すように、エバポレーター１１と併せて燃料冷却部２７にも冷媒が供給される。これにより、燃料タンク４に戻される燃料が冷却され、燃料タンク４内の温度が低下する。
【００５２】
ところで、ＬＰＧは沸点が低いため、燃料タンク４内の燃料温度が高いときに体積が大きく増大し、燃料タンク４内の圧力が高くなる。その結果、燃料タンク４への燃料の補充が困難になるおそれがある。
【００５３】
この点、電磁弁制御モード切り替えスイッチ３３が押されて電磁弁２８の制御モードが燃料冷却優先モードに切り替えられると、電磁弁２８が常時全開状態に保持されるようになる。そのため、車室冷房の状態に応じて自動的に電磁弁２８が開閉される自動制御モードが選択されているときよりも迂回通路２６を流れる冷媒の量が増大する。このため、燃料冷却部２７にできる限り多くの冷媒が供給されるようになり、燃料タンク４に戻される燃料の温度を自動制御モードが選択されているときよりも速やかに低下させることができる。その結果、燃料タンク４の圧力が速やかに低下して、燃料補充が可能となる。
【００５４】
一方、電磁弁制御モード切り替えスイッチ３３が押され、電磁弁２８の制御モードが空気冷却優先モードに切り替えられると、電磁弁２８が常時全閉状態に保持され、迂回通路２６を流れる冷媒の量が０に維持される。これにより、車室冷房の状態に応じて自動的に電磁弁２８が開閉される自動制御モードが選択されているときよりも迂回通路２６を流れる冷媒の量が少なくなり、エバポレーター１１を流れる冷媒の量が増大する。このため、車室１６に送風される空気が速やかに冷却され、自動制御モードが選択されているときよりも車室１６の温度を速やかに低下させることができるようになる。
【００５５】
以上説明した第１の実施形態によれば、以下の効果が得られるようになる。
（１）乗員が電磁弁制御モード切り替えスイッチ３３を押すことによって電磁弁２８の制御モードを切り替えることができるため、乗員の意志を反映させて空調制御及び燃料冷却を行うことができる。
【００５６】
（２）電磁弁２８の制御モードとして、自動制御モードよりも迂回通路２６を流れる冷媒の量が少なくなるように電磁弁２８を制御する空気冷却優先モードを備えているため、同モードを選択することにより、自動制御モードが選択されているときよりも車室１６の温度を速やかに低下させることができる。
【００５７】
（３）空気冷却優先モードが選択されているときには迂回通路２６を流れる冷媒の量が最も少なくなるように電磁弁２８が全閉状態に保持されるため、エバポレーター１１を通過する冷媒の量を可能な限り多くして、空気の冷却を効率よく行うことができる。
【００５８】
（４）電磁弁２８の制御モードとして、自動制御モードよりも迂回通路２６を流れる冷媒の量が多くなるように電磁弁２８を制御する燃料冷却優先モードを備えているため、同モードを選択することにより、自動制御モードが選択されているときよりも速やかに燃料の温度を低下させることができる。その結果、燃料タンク４内の圧力を低下させて、燃料の補充を容易に行うことができる状態を作り出すことができる。
【００５９】
（５）燃料冷却優先モードが選択されているときには迂回通路２６を流れる冷媒の量が最も多くなるように電磁弁２８が全開状態に保持されるため、燃料冷却部２７を通過する冷媒の量を可能な限り多くして、燃料の冷却を効率よく行うことができる。
【００６０】
（６）電磁弁２８の制御モードとして、自動制御モードを備え、同モードが選択されているときには車室冷房の負荷が高いときに電磁弁２８を全閉状態に保持して、迂回通路２６を流れる冷媒の量を少なくするようにした。このため、車室冷房の負荷が高い状態を速やかに解消してコンプレッサー７の駆動量やブロワー１２の駆動量等を少なくすることができる。その結果、空調装置を駆動するための仕事量が少なくなり、燃費を向上させることができる。
【００６１】
（第２の実施形態）
次に、車両用燃料冷却装置の第２の実施形態について、図５を参照して説明する。この車両用燃料冷却装置では、自動制御モードにおける電磁弁２８の制御態様が上記第１の実施形態と異なっている。なお、車両用燃料冷却装置の構成やステップＳ３１〜ステップＳ３３の処理は第１の実施形態と同様であるため、共通の符号及びステップ番号を付してその詳細な説明は省略する。
【００６２】
図５に示すように、この実施形態における自動制御モードでは、ステップＳ３２の処理において車室冷房が高負荷状態でないと判定した場合（ステップＳ３２：ＮＯ）には、次にデフロスタースイッチ１９がＯＮであるか否かを判定する（ステップＳ５１）。デフロスタースイッチ１９がＯＮであると判定した場合（ステップＳ５１：ＹＥＳ）には、電磁弁２８を全閉状態に保持し（ステップＳ３３）、本処理を終了する。
【００６３】
一方、デフロスタースイッチ１９がＯＦＦであると判定した場合（ステップＳ５１：ＮＯ）には電磁弁２８を全開状態に保持し（ステップＳ５２）、本処理を終了する。
次に、本実施形態の作用について説明する。
【００６４】
エバポレーター１１は、空気を冷却する際に空気中の水蒸気を凝縮させて除湿する機能を有しているため、デフロスタースイッチ１９がＯＮである場合に、エバポレーター１１における除湿機能を向上させれば、車室１６に導入される空気を乾燥させて、速やかにフロントガラスの曇りを解消することができる。
【００６５】
本実施形態では、車室冷房が高負荷状態でない場合であっても、デフロスタースイッチ１９がＯＮである場合には電磁弁２８が全閉状態に保持される。これにより、エバポレーター１１に供給される冷媒の量が増大し、エバポレーター１１の除湿機能が向上する。
【００６６】
以上説明した第２の実施形態によれば、上記（１）〜（６）の効果に加えて以下の効果が得られるようになる。
（７）自動制御モードが選択されているときには、デフロスターが駆動されているときに、電磁弁２８を全閉状態に保持するようにしたため、エバポレーター１１における除湿機能が向上し、フロントガラスの曇りを速やかに解消することができる。
【００６７】
（第３の実施形態）
次に、車両用燃料冷却装置の第３の実施形態について、図６及び図７を参照して説明する。この車両用燃料冷却装置では、空調装置からの臭いを抑制するこもり臭制御を実施する点が上記各実施形態と異なっている。なお、車両用燃料冷却装置の構成については同様であるため、共通の符号を付してその詳細な説明は省略する。
【００６８】
エバポレーター１１は、上述したように除湿機能を有している。このため、エバポレーター１１の外周面には水滴が付着しやすい。吸気ダクト１３に導入された空気がエバポレーター１１に接触すると、空気中に含まれるかび等がエバポレーター１１に付着する。エバポレーター１１には水滴が付着しているため、こうしてかび等が付着すると繁殖し、臭いを発生させる。なお、エンジン１の始動直後など、吸気ダクト１３に臭気が充満している状態で空調装置が作動された場合に、特に臭いが気になりやすい。本実施形態では、こうした臭いを抑制するこもり臭制御を実行している。
【００６９】
図６を参照してこもり臭制御について説明する。
図６（ａ）に示すように、時刻ｔ０においてエンジン１が始動されると、ブロワー１２の駆動量を０に設定し、臭気が充満している吸気ダクト１３から車室１６内への空気の導入を停止する。また、図６（ｂ）に示すように、車室１６内への空気の吹き出し口をＦｏｏｔに設定する。エンジン１の始動後、所定時間経過した時刻ｔ１では、駆動量を最低量に設定してブロワー１２を駆動させる。こうして吹き出し口をＦｏｏｔに設定し、足下から少量の空気を車室１６内に導入することで、臭いが気になりにくくなる。かびから発生する臭いは、かびを水滴によって覆うことで抑制できる。時刻ｔ１以降は吸気ダクト１３に空気が流れ、エバポレーター１１に付着する水滴量が増大するため、臭いの元となるかび等が水滴によって覆われる。
【００７０】
そして、エバポレーター１１に水滴が付着してかびによる臭いが発生しなくなると推定される時刻ｔ２以降は、ブロワー１２の駆動量を所望の駆動量になるように徐々に増加させるとともに、吹き出し口切り替えダイアル１８の操作により設定された吹き出し口から空気を吹き出す。こうしたこもり臭制御を実行することにより、臭いの発生を抑制することができる。
【００７１】
次に、図７を参照して、上述したこもり臭制御を実行する本実施形態にかかる自動制御モードの一連の処理について説明する。ステップＳ３１〜ステップＳ３３の処理は上記各実施形態と同様の処理であるため、共通のステップ番号を付してその詳細な説明は省略する。
【００７２】
ステップＳ３２の処理において車室冷房が高負荷状態でないと判定した場合（ステップＳ３２：ＮＯ）には、次にこもり臭制御の実行中か否かを判定する（ステップＳ７１）。この処理においてこもり臭制御の実行中であると判定した場合（ステップＳ７１：ＹＥＳ）には、電磁弁２８を全閉状態に保持して（ステップＳ３３）、本処理を終了する。
【００７３】
一方、こもり臭制御の実行中ではないと判定した場合（ステップＳ７１：ＮＯ）には、電磁弁２８を全開状態に保持し（ステップＳ７２）、本処理を終了する。
次に、本実施形態の作用について説明する。
【００７４】
こもり臭制御の実行中には、エバポレーター１１に供給される冷媒の量を増大させて、エバポレーター１１に付着する水滴の量を速やかに増大させることが望ましい。
本実施形態では、電磁弁２８の制御モードが自動制御モードに設定されているときには、こもり臭制御が実行されている場合に電磁弁２８が全閉状態に保持される。このため、こもり臭制御が実行されているときに、エバポレーター１１に供給される冷媒の量が多くなり、エバポレーター１１への水滴の付着量が増大する。
【００７５】
以上説明した第３の実施形態によれば、上記（１）〜（６）の効果に加えて以下の効果が得られるようになる。
（８）自動制御モードが選択されているときには、こもり臭制御が実行されているときに、電磁弁２８を全閉状態に保持するようにした。このため、エバポレーター１１に付着する水滴の量を速やかに増大させて、臭いの発生を早期に抑制することができる。
【００７６】
（第４の実施形態）
次に、車両用燃料冷却装置の第４の実施形態について、図８を参照して説明する。この車両用燃料冷却装置では、空調装置の設定温度に応じて自動制御モードにおける電磁弁２８の制御態様を変更する点が上記各実施形態と異なっている。なお、車両用燃料冷却装置の構成やステップＳ３１〜ステップＳ３３の処理は上記各実施形態と同様であるため、共通の符号及びステップ番号を付してその詳細な説明は省略する。
【００７７】
図８に示すように、ステップＳ３２の処理において車室冷房が高負荷状態でないと判定した場合（ステップＳ３２：ＮＯ）には、次に空調装置の設定温度が所定温度Ｔｋ以下であるか否かを判定する（ステップＳ８１）。設定温度が所定温度Ｔｋ以下であると判定した場合（ステップＳ８１：ＹＥＳ）には、車室１６内の温度を速やかに低下させることが望まれていると判断し、電磁弁２８を全閉状態に保持する（ステップＳ３３）。一方、設定温度が所定温度Ｔｋよりも高いと判定した場合（ステップＳ８１：ＮＯ）には、電磁弁２８を全開状態に保持し（ステップＳ８２）、本処理を終了する。
【００７８】
次に、本実施形態の作用について説明する。
車室冷房が高負荷状態でない場合であっても、車室１６内の設定温度が所定温度Ｔｋ以下に設定されている場合には、電磁弁２８が全閉状態に保持される。このため、車室１６内の温度を速やかに低下させることが望まれているときに、空気を冷却する能力が自動的に高められ、車室１６内に導入される空気が速やかに冷却される。
【００７９】
以上説明した第４の実施形態によれば、上記（１）〜（６）の効果に加えて以下の効果が得られるようになる。
（９）自動制御モードが選択されているときには、空調設定温度が所定温度Ｔｋ以下であるときに、電磁弁２８を全閉状態に保持するようにした。このため、車室１６内の温度を速やかに低下させることが望まれているときに、車室１６内に導入される空気を速やかに冷却して、車室１６内の温度を速やかに低下させることができる。
【００８０】
（第５の実施形態）
次に、車両用燃料冷却装置の第５の実施形態について、図９を参照して説明する。この車両用燃料冷却装置では、電子制御部２１によって算出される目標吹き出し温度（ＴＡＯ）に応じて自動制御モードにおける電磁弁２８の制御態様を変更する点が上記各実施形態と異なっている。なお、車両用燃料冷却装置の構成やステップＳ３１〜ステップＳ３３の処理は上記各実施形態と同様であるため、共通の符号及びステップ番号を付してその詳細な説明は省略する。
【００８１】
図９に示すように、ステップＳ３２の処理において車室冷房が高負荷状態でないと判定した場合（ステップＳ３２：ＮＯ）には、次にＴＡＯが所定温度Ｔａ以下であるか否かを判定する（ステップＳ９１）。なお、所定温度Ｔａは、コンプレッサー７及びブロワー１２の駆動量が大きくなり、車室冷房が高負荷状態になるおそれのある温度の上限値が設定されている。ＴＡＯが所定温度Ｔａ以下であると判定した場合（ステップＳ９１：ＹＥＳ）には、車室冷房が高負荷状態になるおそれがあると判断し、電磁弁２８を全閉状態に保持する（ステップＳ３３）。一方、ＴＡＯが所定温度Ｔａよりも高いと判定した場合（ステップＳ９１：ＮＯ）には電磁弁２８を全開状態に保持し（ステップＳ９２）、本処理を終了する。
【００８２】
次に、本実施形態の作用について説明する。
電子制御部２１によって算出されるＴＡＯが所定温度Ｔａ以下のときにはコンプレッサー７の駆動量やブロワー１２の駆動量が増大して車室冷房が高負荷状態になるおそれがある。
【００８３】
本実施形態では、車室冷房が高負荷状態でない場合であっても、ＴＡＯが所定温度Ｔａ以下である場合には電磁弁２８が全閉状態に保持される。このため、車室冷房が高負荷状態になるおそれがあるときに燃料冷却部に流れる冷媒の量が少なくなり、空気を冷却する能力が高められる。
【００８４】
以上説明した第５の実施形態によれば、上記（１）〜（６）の効果に加えて以下の効果が得られるようになる。
（１０）自動制御モードが選択されているときには、ＴＡＯが所定温度Ｔａ以下であるときに、電磁弁２８を全閉状態に保持するようにした。このため、空気を冷却する能力を高めて、車室冷房の負荷が比較的高い状態を速やかに解消することができる。その結果、車室冷房が高負荷状態になるのを抑制して空調装置を駆動するための仕事量を一層少なくすることができる。
【００８５】
（第６の実施形態）
次に、車両用燃料冷却装置の第６の実施形態について、図１０を参照して説明する。この車両用燃料冷却装置では、自動制御モードにおいて外気温に応じて電磁弁２８の制御態様を変更する点が上記各実施形態と異なっている。なお、車両用燃料冷却装置の構成は上記各実施形態と同様であるため、共通の符号を付してその詳細な説明は省略する。
【００８６】
図１０に示すように、本処理ではまず、エアコンスイッチ１７がＯＮであるか否かを判定する（ステップＳ３１）。この処理においてエアコンスイッチ１７がＯＦＦであると判定した場合（ステップＳ３１：ＮＯ）には、電磁弁２８を全閉状態に保持する（ステップＳ１０３）。
【００８７】
一方、ステップＳ３１の処理においてエアコンスイッチ１７がＯＮであると判定した場合（ステップＳ３１：ＹＥＳ）には、次に外気温が所定温度Ｔｕ以下であるか否かを判定する（ステップＳ１０１）。なお、所定温度Ｔｕは、外気と冷媒との熱交換によってエバポレーター１１が凍結しない外気温の下限値が設定されている。外気温が所定温度Ｔｕ以下であると判定した場合（ステップＳ１０１：ＹＥＳ）には、空調装置が駆動されるとエバポレーター１１が凍結するおそれがあるため、空調装置を停止させる（ステップＳ１０２）。その後、電磁弁２８を全閉状態に保持して（ステップＳ１０３）、本処理を終了する。
【００８８】
また、ステップＳ１０１の処理において外気温が所定温度Ｔｕよりも高いと判定した場合（ステップＳ１０１：ＮＯ）には、次に車室冷房が高負荷状態であるか否かを判定し（ステップＳ１０４）、車室冷房が高負荷状態であると判定した場合（ステップＳ１０４：ＹＥＳ）には、電磁弁２８を全閉状態に保持する（ステップＳ１０３）。なお、車室冷房が高負荷状態であるか否かの判定は第１の実施形態と同様の条件に基づいて行う。
【００８９】
ステップＳ１０４の処理において車室冷房が高負荷状態でないと判定した場合（ステップＳ１０４：ＮＯ）には、電磁弁２８を全開状態に保持する（ステップＳ１０５）こうした電磁弁２８の制御を実行すると本処理を終了する。
【００９０】
次に、本実施形態の作用について説明する。
外気温が所定温度Ｔｕ以下のときに空調装置を駆動させると、エバポレーター１１が凍結するおそれがある。自動制御モードでは、外気温が所定温度Ｔｕ以下のときにはエアコンスイッチ１７がＯＮとなっている場合であっても空調装置が停止され、電磁弁２８が全閉状態に保持される。
【００９１】
また、外気温が所定温度Ｔｕよりも大きいときには、エバポレーター１１が凍結するおそれがないため、空調装置を停止させない。そして、車室冷房が高負荷状態である場合には電磁弁２８が全閉状態に保持される。このため、車室冷房が高負荷状態である場合には、エバポレーター１１を通過する冷媒の量が多くなり、空気を冷却する能力が自動的に高められる。これにより、車室１６内に導入される空気が速やかに冷却される。
【００９２】
以上説明した第６の実施形態によれば、上記（１）〜（６）の効果に加えて以下の効果が得られるようになる。
（１１）自動制御モードが選択されているときには、外気温が所定温度Ｔｕ以下であるときに、空調装置の駆動を停止するようにした。このため、空調装置の駆動によってエバポレーター１１が凍結することを抑制できる。
【００９３】
（第７の実施形態）
次に、車両用燃料冷却装置の第７の実施形態について、図１１を参照して説明する。この車両用燃料冷却装置は、エンジン１を自動停止・自動始動させるアイドリングストップ制御を行う車両に適用されており、車室１６には、図１に二点鎖線で示すようにエンジン１の運転状態を省エネモードに切り替えるためのエコスイッチ３４が設けられている。なお、その他の構成については、上記各実施形態と同様であるため、共通の符号を付してその詳細な説明は省略する。
【００９４】
図１１に示すように、本処理ではまず、エアコンスイッチ１７がＯＮであるか否かを判定する（ステップＳ３１）。この処理においてエアコンスイッチ１７がＯＦＦであると判定した場合（ステップＳ３１：ＮＯ）には電磁弁２８を全閉状態に保持して（ステップＳ３３）、本処理を終了する。
【００９５】
一方、ステップＳ３１の処理においてエアコンスイッチ１７がＯＮであると判定した場合（ステップＳ３１：ＹＥＳ）には、次にエコスイッチ３４がＯＮであるか否かを判定し（ステップＳ１０１）、エコスイッチ３４がＯＮである場合（ステップＳ１１１：ＹＥＳ）には、車室冷房の負荷判定をエコモード時負荷判定処理によって行う（ステップＳ１１２）。一方、エコスイッチ３４がＯＦＦである場合（ステップＳ１１１：ＮＯ）には、車室冷房の負荷判定を通常時負荷判定処理によって行う（ステップＳ１１３）。
【００９６】
ステップＳ１１２又はステップＳ１１３の処理を実行すると、次に車室冷房が高負荷状態であるか否かを判定する（ステップＳ１１４）。そして、車室冷房が高負荷状態であると判定した場合（ステップＳ１１４：ＹＥＳ）には、電磁弁２８を全閉状態に保持する（ステップＳ３３）。一方、ステップＳ１１４の処理において車室冷房が高負荷状態でないと判定した場合（ステップＳ１１４：ＮＯ）には、電磁弁２８を全開状態に保持する（ステップＳ３４）。こうした電磁弁２８の制御を実行すると本処理を終了する。
【００９７】
なお、ステップＳ１１３の通常時負荷判定処理では、上述した各条件（イ）〜（ホ）が全て成立した場合に車室冷房が高負荷状態であると判断する。一方、ステップＳ１１２のエコモード時負荷判定処理では、次の条件（へ）〜（ヌ）が全て成立したときに車室冷房が高負荷状態であると判断する。
【００９８】
条件（へ）：外気温度が所定温度Ｔｇ１よりも低い所定温度Ｔｇ２以上である（Ｔｇ２＜Ｔｇ１）。
条件（ト）：車室内温度が所定温度Ｔｎ１よりも低い所定温度Ｔｎ２以上である（Ｔｎ２＜Ｔｎ１）。
【００９９】
条件（チ）：エバポレーター温度が所定温度Ｔｅ１よりも低い所定温度Ｔｅ２以上である（Ｔｅ２＜Ｔｅ１）。
条件（リ）：ブロワー１２の駆動量が所定値Ｑ１よりも小さい所定値Ｑ２以上である（Ｑ２＜Ｑ１）。
【０１００】
条件（ヌ）：エアミックスダンパ１５の開度が所定開度θ１よりも大きい所定開度θ２以下である（θ２＞θ１）。
次に、本実施形態の作用について説明する。
【０１０１】
エコモードスイッチがＯＮである場合には、エンジン１を省エネモードで制御している場合であり、空調装置においても燃費を向上させるように制御することが望ましい。
本実施形態では、エコモードスイッチがＯＮである場合には、同スイッチがＯＦＦである場合と比較して車室冷房の高負荷判定条件が緩和され、車室冷房が高負荷状態であるとの判定がされやすくなる。すなわち、エコモードスイッチがＯＦＦであるときには車室冷房が高負荷状態であると判定されない負荷状態であっても、エコモードスイッチがＯＮであるときには高負荷状態であると判定されるようにその判定条件が変更される。そして、車室冷房が高負荷状態であると判定されると、電磁弁２８を全閉状態に保持して、燃料冷却部２７に冷媒が流れないように制御する。したがって、エコモードでエンジン１が駆動されているときには、そうでないときと比較して電磁弁２８が全閉状態に保持される期間が長くなり、燃料冷却部２７に流れる冷媒の量が少なくなる。したがって、エバポレーター１１を通過する冷媒の量が多くなり、空気を冷却する能力が自動的に高められるため、車室１６内の温度を所望の温度まで低下させるために必要なコンプレッサー７の駆動量を減少させることができる。
【０１０２】
以上説明した第７の実施形態によれば、上記（１）〜（６）の効果に加えて以下の効果が得られるようになる。
（１２）自動制御モードが選択されているときには、エンジン１がエコモードで駆動されているときに、車室冷房が高負荷状態であると判定されやすくしたため、電磁弁２８が全閉状態に保持される期間が増大する。したがって、コンプレッサー７の駆動量を減少させて燃費を一層向上させることができるようになる。
【０１０３】
（第８の実施形態）
次に、車両用燃料冷却装置の第８の実施形態について、図１２及び図１３を参照して説明する。この車両用燃料冷却装置は、駆動源としてエンジンとモータとを備えるハイブリッド車両に適用されている。
【０１０４】
図１２に示すように、車両には、駆動源としてのエンジン１が設けられている。エンジン１よりも車両後方側には、車室１６が設けられている。車室１６における車両前方側の部分には、空調装置の空気吹き出し口３５が設けられている。
【０１０５】
また、車両において車室１６よりも車両後方側の部分には、バッテリー収容室３６が設けられている。バッテリー収容室３６には、駆動源としてのモータを駆動するためのバッテリー３７が収容されている。バッテリー収容室３６と車室１６とは、空気吸入孔３８によって連通している。また、バッテリー収容室３６の後方には、バッテリー収容室３６内の空気を車外に排出する空気排出孔３９が設けられている。この空気排出孔３９は、空調装置における吸気ダクト１３への空気の取り込みモードが、外気を取り込む外気取り込みモードに設定されているときに開口する。
【０１０６】
こうしたハイブリッド車両では、車室１６内から空気吸入孔３８を介してバッテリー収容室３６に空気を導入し、この空気によってバッテリー３７を冷却している。なお、バッテリー３７の温度が上昇したときには、電子制御部２１は、空調連携制御を実行する。空調連携制御では、空調装置によって車室１６内の温度を低下させることでバッテリー収容室３６に導入される空気の温度を低下させ、バッテリー３７の冷却効率を高める。また、この制御では、外気取り込みモードに設定して空気排出孔３９を開口させることで、車室１６内の空気が車両前方から車両後方へ流れやすくしている。
【０１０７】
このように空調連携制御では、車室１６内の空気と比較して温度の高い外気をエバポレーター１１によって冷却するため、エバポレーター１１に供給される冷媒の量を増大させる必要があり、コンプレッサー７の駆動量が増大する。こうした場合に、電磁弁２８が開弁され、燃料冷却部２７に冷媒が流れてしまうと、エバポレーター１１に供給される冷媒の量が減少するため、車室１６内の温度を速やかに低下させることができず、バッテリー３７の冷却が困難となるおそれがある。また、コンプレッサー７の駆動量が増大するため燃費が悪化する。
【０１０８】
そこで、本実施形態では、自動制御モードにおいて、図１３に示すように電磁弁を制御する。
図１３に示すように、この自動制御モードではまず、エアコンスイッチ１７がＯＮであるか否かを判定する（ステップＳ１３１）。この処理においてエアコンスイッチ１７がＯＦＦであると判定した場合（ステップＳ１３１：ＮＯ）には、空調装置が駆動されておらず、空調連携制御も実行されていないため、電磁弁２８を全閉状態に保持して（ステップＳ１３３）、本処理を終了する。
【０１０９】
一方、ステップＳ１３１の処理においてエアコンスイッチ１７がＯＮであると判定した場合（ステップＳ１３１：ＹＥＳ）には、空調連携制御の実行中であるか否かを判定し（ステップＳ１３２）、空調連携制御の実行中であると判定した場合（ステップＳ１３２：ＹＥＳ）には、電磁弁２８を全閉状態に保持する（ステップＳ１３３）。一方、ステップＳ１３２の処理において空調連携制御の実行中でないと判定した場合（ステップＳ１３２：ＮＯ）には、電磁弁２８を全開状態に保持する（ステップＳ１３４）。こうした電磁弁２８の制御を実行すると本処理を終了する。
【０１１０】
次に、本実施形態の作用について説明する。
空調連携制御の実行中には、電磁弁２８が全閉状態に保持され、燃料冷却部２７に冷媒が流れないように制御される。このため、エバポレーター１１に供給される冷媒の量が可能な限り多くなり、車室１６に導入される空気の温度が速やかに低下する。これにより、バッテリー３７の温度が速やかに低下する。また、空調連携制御の実行中に電磁弁２８を開弁させる場合に比べて、コンプレッサー７の駆動量が減少する。
【０１１１】
以上説明した第８の実施形態によれば、上記（１）〜（５）の効果に加えて以下の効果が得られるようになる。
（１３）自動制御モードが選択されているときには、空調連携制御が実行されている場合に、電磁弁２８を全閉状態に保持するようにした。このため、空調連携制御の実行中に空気を冷却する能力が自動的に高められ、バッテリー３７を速やかに冷却することができる。また、空調連携制御の実行中に電磁弁２８を開弁させる場合に比べて、コンプレッサー７の駆動量を減少させることができ、燃費の向上を図ることができる。
【０１１２】
（第９の実施形態）
次に、車両用燃料冷却装置の第９の実施形態について、図１４及び図１５を参照して説明する。この車両用燃料冷却装置は、自動制御モードにおける電磁弁２８の制御態様が上記各実施形態と異なっている。なお、車両用燃料冷却装置の構成は上記第１〜第７の実施形態と同様であるため、共通の符号を付してその詳細な説明は省略する。
【０１１３】
図１４に示すように、本処理ではまず、燃料タンク４内の圧力が所定圧Ｐｓ以上であるか否かを判定する（ステップＳ１４０１）。ここで、燃料タンク４内の圧力が所定圧Ｐｓ以上であるときには、燃料タンク４に設けられた安全弁６が作動するおそれがあると判断することができる。一方、燃料タンク４内の圧力が所定圧Ｐｓ未満であるときには、安全弁６が作動するおそれがないと判断することができる。この処理において燃料タンク４内の圧力が所定圧Ｐｓ以上であると判定した場合（ステップＳ１１４０１：ＹＥＳ）には、次に、エアコンスイッチ１７がＯＮであるか否かを判定する（ステップＳ１４０２）。そして、エアコンスイッチ１７がＯＮである場合（ステップＳ１４０２：ＹＥＳ）には、電磁弁２８を全開状態に保持して（ステップＳ１４０４）、本処理を終了する。
【０１１４】
一方、エアコンスイッチ１７がＯＦＦである場合（ステップＳ１４０２：ＮＯ）には、空調装置を駆動させて（ステップＳ１４０３）、電磁弁２８を全開状態に保持し（ステップＳ１４０４）、本処理を終了する。
【０１１５】
また、ステップＳ１４０１の処理において、燃料タンク４内の圧力が所定圧Ｐｓ未満であると判定した場合（ステップＳ１４０１：ＮＯ）には、次に、エアコンスイッチ１７がＯＮであるか否かを判定する（ステップＳ１４０５）。エアコンスイッチ１７がＯＦＦであると判定した場合（ステップＳ１４０５：ＮＯ）には、電磁弁２８を全閉状態に保持して（ステップＳ１４０７）、本処理を終了する。
【０１１６】
一方、エアコンスイッチ１７がＯＮであると判定した場合（ステップＳ１４０５：ＹＥＳ）には、次に燃料タンク４内の燃料温度が所定温度Ｔｆ以下であるか否かを判定する（ステップＳ１４０６）。なお、所定温度Ｔｆは、燃料噴射弁２から噴射されたときに燃料が十分霧化することが可能な燃料温度の下限値が設定されており、燃料温度がこの所定温度以下Ｔｆ以下であるときには燃料が過冷却状態となり燃焼性が悪化するおそれがある。燃料温度が所定温度Ｔｆ以下であると判定した場合（ステップＳ１４０６：ＹＥＳ）には、電磁弁２８を全閉状態に保持して（ステップＳ１４０７）、本処理を終了する。一方、燃料温度が所定温度Ｔｆよりも高い場合（ステップＳ１４０６：ＮＯ）には、燃料補充可能条件が成立しているか否かを判定する（ステップＳ１４０８）。
【０１１７】
次に、図１５を参照して、燃料補充可能条件の判定処理について説明する。
燃料タンク４内の圧力が、ＬＰＧを補充する際の充填圧よりも高くなると、燃料タンク４内に燃料を補充することができなくなる。ＬＰＧを補充するためのスタンドにおけるＬＰＧの充填圧は地域によって異なっているため、ＬＰＧの充填圧が十分に高い地域では、燃料タンク４内の圧力が高くなっても燃料タンク４内に燃料を補充することができる。一方、ＬＰＧの充填圧が低い地域では、燃料タンク４内の圧力が高い場合に燃料タンク４に戻される燃料を冷却して燃料タンク４内の圧力を低下させないと燃料を補充することができない。
【０１１８】
そこで、本処理ではまず、電磁弁制御部２９に予め記憶された地域データに基づいて、現在位置が、ＬＰＧの充填圧が十分に高く、燃料補充時に燃料冷却が不要な地域内であるか否かを判定する（ステップＳ１５１）。なお、現在位置は、ＧＰＳの情報に基づいて算出することができる。現在位置が、燃料補充時に燃料冷却が不要な地域内であると判定した場合（ステップＳ１５１：ＹＥＳ）には、燃料補充可能条件が成立していると判定する（ステップＳ１５２）。
【０１１９】
一方、現在位置が燃料補充時に燃料冷却が不要な地域内ではないと判定した場合（ステップＳ１５１：ＮＯ）には、次に燃料タンク４内の圧力が車両が位置している地域の燃料充填圧以下であるか否かを判定する（ステップＳ１５３）。そして、燃料タンク４内の圧力が、車両が位置している地域の充填圧以下であると判定した場合（ステップＳ１５３：ＹＥＳ）には、燃料補充可能条件が成立していると判定する（ステップＳ１５２）。一方、燃料タンク４内の圧力が、車両が位置している地域の充填圧よりも高い場合（ステップＳ１５３：ＮＯ）には、燃料補充可能条件が成立していないと判定する（ステップＳ１５４）。
【０１２０】
そして、図１４に示すように、燃料補充可能条件が成立した場合（ステップＳ１４０８：ＹＥＳ）には、電磁弁２８を全閉状態に保持して（ステップＳ１４０７）、本処理を終了する。また、燃料補充可能条件が不成立となった場合（ステップＳ１４０８：ＮＯ）には、燃料を補充する際に燃料冷却が必要となるため、次に燃料タンク４内の燃料残量が所定量α以上であるか否かを判定する（ステップＳ１４０９）。ここで、所定量αは、燃料タンク４に燃料を補充する必要があるか否かを判定するために設定された値であり、例えば、３０Ｌに設定されている。燃料補充可能条件が不成立（ステップＳ１４０８：ＮＯ）であっても、燃料補充の必要がない場合（ステップＳ１４０９：ＹＥＳ）には、電磁弁２８を全閉状態に保持して（ステップＳ１４０７）、本処理を終了する。
【０１２１】
一方、燃料残量が所定量α未満であると判定された場合（ステップＳ１４０９：ＮＯ）には、次に車室冷房が高負荷状態であるか否かを判定し（ステップＳ１４１０）、車室冷房が高負荷状態であると判定した場合（ステップＳ１４１０：ＹＥＳ）には、電磁弁２８を閉弁状態に保持して（ステップＳ１４０７）、本処理を終了する。
【０１２２】
また、ステップＳ１４１０の処理において車室冷房が高負荷状態でないと判定した場合（ステップＳ１４１０：ＮＯ）には、電磁弁２８を全開状態に保持して（ステップＳ１４１１）、本処理を終了する。
【０１２３】
次に、本実施形態の作用について説明する。
本実施形態では、燃料タンク４内の圧力が安全弁６が作動するおそれのある所定圧Ｐｓ以上のときに、空調装置が駆動され、電磁弁２８が全開状態に保持される。これにより、迂回通路２６に流れる冷媒の量が可能な限り多くなり、燃料タンク４に戻される燃料の冷却効率が高められる。このため、燃料タンク４内の燃料温度が低下して燃料タンク４内の圧力が低下する。したがって、安全弁６の作動が抑制され、燃料タンク４内の燃料が漏出することが抑制される。
【０１２４】
また、燃料が過冷却されるおそれがあるときには、電磁弁２８が全閉状態に保持される。これにより、燃料冷却部２７に流れる冷媒の量が減少して、燃料タンク４内の温度が過度に低下することが抑制される。このため、燃料が噴射された際に燃料が十分霧化できるようになり、燃料の燃焼性の悪化が抑えられる。
【０１２５】
また、燃料補充可能条件が成立しているときには、電磁弁２８が全閉状態に保持される。また、燃料補充可能条件が不成立であって、燃料補充が必要でないときには電磁弁２８が全閉状態に保持される。そして、燃料補充をする際に燃料冷却が必要であり、且つ燃料補充の必要があるときにのみ電磁弁２８が全開状態に保持される。このため、実情に即してより効率的に電磁弁を制御することができる。
【０１２６】
また、車室冷房が高負荷状態の場合には、電磁弁２８が全閉状態に保持され、空気を冷却する能力が自動的に高められる。その結果、車室冷房の負荷が高い状態が速やかに解消される。
【０１２７】
以上説明した第９の実施形態によれば、上記（１）〜（６）の効果に加えて以下の効果が得られるようになる。
（１４）電磁弁２８の制御モードとして自動制御モードが選択されているときには、燃料タンク４内の圧力が高いときに迂回通路２６を流れる冷媒の量を多くするように電磁弁２８を全開状態に保持するようにした。このため、燃料タンク４内の圧力が高いときほど燃料を冷却する能力が自動的に高められ、燃料タンク４内の圧力を速やかに低下させることができるようになる。したがって、燃料タンク４内の圧力が過度に上昇することが抑制されるようになる。
【０１２８】
（第１０の実施形態）
次に、車両用燃料冷却装置の第１０の実施形態について、図１６を参照して説明する。この車両用燃料冷却装置は、電磁弁２８の制御モードが空気冷却優先モードに設定されたときの電磁弁２８の制御態様が上記各実施形態と異なっている。なお、車両用燃料冷却装置の構成やステップＳ２１〜ステップＳ２６、並びにステップＳ２９の処理は上記第１〜第７の実施形態、及び第９の実施形態と同様であるため、共通の符号及びステップ番号を付してその詳細な説明は省略する。
【０１２９】
図１６に示すように、空気冷却優先モードが設定され（ステップＳ２５：ＹＥＳ）、空調装置が駆動されている場合（ステップＳ２６：ＹＥＳ）には、次に、燃料タンク４内の圧力が所定圧Ｐｓ以上であるか否かを判定する（ステップＳ１６１）。ここで、燃料タンク４内の圧力が所定圧Ｐｓ以上であるときには、安全弁６が作動するおそれがあると判断することができる。一方、燃料タンク４内の圧力が所定圧Ｐｓ未満であるときには、安全弁６が作動するおそれがないと判断することができる。この処理において燃料タンク４内の圧力が所定圧Ｐｓ以上であると判定した場合（ステップＳ１６１：ＹＥＳ）には、電磁弁２８を全開状態に保持して（ステップＳ２３）、本処理を終了する。
【０１３０】
一方、燃料タンク４内の圧力が所定圧Ｐｓ未満であると判定した場合（ステップＳ１６１：ＮＯ）には、電磁弁２８を全閉状態に保持して（ステップＳ２７）、本処理を終了する。
【０１３１】
次に、本実施形態の作用について説明する。
電磁弁２８の制御モードとして空気冷却モードが選択されているときであっても、燃料タンク４内の圧力が安全弁６が作動するほど高い場合には電磁弁２８が全開状態に保持される。これにより、迂回通路２６を通じて燃料冷却部２７に冷媒が供給され、燃料タンク４内の圧力が低下する。
【０１３２】
以上説明した第１０の実施形態によれば、上記（１）〜（６）の効果に加えて以下の効果が得られるようになる。
（１５）空気冷却モードが選択されている場合であっても、燃料タンク４内の圧力が安全弁６が作動するおそれのある所定圧Ｐｓ以上のときには、電磁弁２８を全開状態に保持するようにした。このため、燃料タンク４内の圧力が低下して、安全弁６の作動に伴い燃料タンク４内の燃料が漏出することを抑制することができる。
【０１３３】
（その他の実施形態）
その他、上記各実施形態に共通して変更可能な要素としては次のようなものがある。
・第７の実施形態では、エコスイッチ３４を備える車両として、アイドリングストップ制御を行う車両を例に説明したが、エコスイッチ３４を備える車両であれば、例えばハイブリッド車両などの他の車両に同実施形態を適用してもよい。
【０１３４】
・車両用燃料冷却装置をアイドリングストップ制御を行う車両に適用した例として第７の実施形態のみを示したが、他の実施形態をアイドリングストップ制御を行う車両に適用してもよい。
【０１３５】
・車両用燃料冷却装置をハイブリッド車両に適用した例として第８の実施形態のみを示したが、他の実施形態をハイブリッド車両に適用してもよい。
・上記各実施形態では、ステップＳ３２，Ｓ１１３，Ｓ１４１０の処理において条件（イ）〜（ホ）の全てが成立したときに車室冷房が高負荷状態であると判定したが、高負荷状態であると判定する条件は適宜変更可能である。例えば、条件（イ）〜（ホ）のうち１つ以上が成立したときに車室冷房が高負荷状態であると判定するようにしてもよい。また、条件（イ）〜（ホ）とは異なる条件に基づいて車室冷房の負荷状態を判定するようにしてもよい。
【０１３６】
・上記第７の実施形態では、ステップＳ１１２の処理において条件（へ）〜（ヌ）の全てが成立したときに車室冷房の高負荷状態であると判定したが、ステップＳ１４１０における処理と比較して高負荷状態であると判定しやすくなるのであれば、その判定条件を適宜変更してもよい。例えば、条件（へ）〜（ヌ）のうち１つ以上が成立したときに車室冷房が高負荷状態であると判定するようにしてもよい。また、条件（へ）〜（ヌ）とは異なる条件に基づいて車室冷房の負荷状態を判定するようにしてもよい。
【０１３７】
・上記第９の実施形態において、図１４のステップＳ１４１０の処理を省略してもよい。すなわち、ステップＳ１４０９の処理で燃料残量が所定量α以下であると判定された場合（ステップＳ１４０９：ＮＯ）には、電磁弁を全開状態に保持して（ステップＳ１４１１）、処理を終了するようにしてもよい。こうした構成であっても、上記（１）〜（５）及び（１４）と同様の効果を得ることはできる。
【０１３８】
・上記第９の実施形態において、図１４のステップＳ１４０１，Ｓ１４０６，Ｓ１４０８，Ｓ１４０９の処理のうち３つまでであればその処理を省略してもよい。なお、ステップＳ１４０６の処理を省略する場合には、ステップＳ１４０５の処理においてエアコンスイッチがＯＮであると判定された場合にステップＳ１４０８以下の処理に移行するようにすればよい。こうした構成であっても、上記（１）〜（６）と同様の効果を得ることはできる。
【０１３９】
・上記各実施形態では、自動制御モードにおいて、電磁弁２８を全閉状態又は全開状態に保持するようにしたが、電磁弁２８の開度を全閉、全開以外の開度に制御するようにしてもよい。例えば、ステップＳ３２，Ｓ１１３，Ｓ１４１０の処理において、条件（イ）〜（ホ）のうち成立した条件の数が多いほど電磁弁２８の開度を小さくするようにしてもよい。すなわち、車室冷房の負荷が高いほど電磁弁２８の開度を小さくするようにしてもよい。また、ステップＳ１４０１の処理において燃料タンク４内の圧力が高いほど電磁弁の開度を大きくするようにしてもよい。
【０１４０】
・上記各実施形態において、電磁弁２８を全閉状態にしたときに迂回通路２６に流れる冷媒の量が最も少なくなるのであれば、電磁弁２８を全閉状態にしたときに迂回通路２６に流れる冷媒の量が０より多くなってもよい。
【０１４１】
・上記各実施形態では、燃料冷却モードでは、電磁弁２８を全開状態に保持するようにしたが、自動制御モードよりも迂回通路２６を流れる冷媒の量が少なくなるのであれば、電磁弁２８を全開状態以外の状態に保持してもよい。また、空気冷却モードでは、電磁弁２８を全閉状態に保持するようにしたが、自動制御モードよりも迂回通路２６を流れる冷媒の量が多くなるのであれば、電磁弁２８を全閉状態以外の状態に保持してもよい。
【０１４２】
・上記各実施形態では、電磁弁２８の制御モードを３つのモードで切り替える例を示したが、例えば、電磁弁２８の制御モードを２つのモードで切り替えたり、４つ以上のモードで切り替えたりするようにしてもよい。
【０１４３】
・上記各実施形態では、電磁弁２８の制御モードを電磁弁制御モード切り替えスイッチ３３が押される度に順に切り替えるようにしたが、例えば、各制御モードに対応する３つのスイッチを備え、いずれか一つのスイッチを押すことによって制御モードを切り替えるようにしてもよい。
【０１４４】
・上記各実施形態では、電磁弁制御部２９の制御モードを切り替える装置として、電磁弁制御モード切り替えスイッチ３３を例に説明したが、電磁弁２８の制御モードを切り替える装置は、こうしたものに限られない。例えば、タッチパネル式の操作部を備え、この操作部に表示された各モードに対応するアイコンをタッチして選択することにより制御モードを切り替えるようにしてもよい。また、非接触式の操作パネルを備え、例えば手をかざす等の操作によって制御モードを切り替えるようにしてもよい。要は、乗員の意志によって制御モードを切り替えることのできる装置であればよい。
【０１４５】
・上記各実施形態における電磁弁２８の配設位置は、迂回通路２６を流れる冷媒の量を調整することができるのであれば適宜変更してもよい。例えば、迂回通路２６と冷媒の循環経路との接続部分に電磁弁を配設するようにしてもよい。なお、この場合には、電磁弁として三方弁を採用し、燃料冷却優先モードが選択されているときに迂回通路２６に冷媒の全量が流れるように電磁弁を制御するようにしてもい。
【０１４６】
・上記各実施形態では、燃料としてＬＰＧを用いる例を示したが、圧縮天然ガス（ＣＮＧ）やシェールガスなど他の燃料を用いるようにしてもよい。
次に、上記各実施形態及びその変形例から把握することのできる技術的思想について、その効果とともに以下に追記する。
【０１４７】
（ア）車両用空調装置の冷媒の一部を用いて燃料を冷却する車両用燃料冷却装置であり、前記車両用空調装置の冷媒の循環経路に接続され、冷媒の一部を前記車両用空調装置における空気冷却部を迂回させて循環させる迂回通路と、同迂回通路に設けられ、同迂回通路を流れる冷媒との熱交換により燃料を冷却する燃料冷却部と、前記迂回通路を流れる冷媒の量を調節する電磁弁と、前記電磁弁を制御する制御部と、を備え、前記制御部は、車室冷房の負荷が高いほど前記迂回通路を流れる冷媒の量を少なくするように前記電磁弁を制御する車両用燃料冷却装置。
【０１４８】
上記構成によれば、車室冷房の負荷が高いときほど空気冷却部を通過する冷媒の量が多くなり、空気を冷却する能力が自動的に高められる。そのため、速やかに車室の温度を低下させ、車室冷房の負荷が高い状態を速やかに解消することができるようになる。したがって、コンプレッサーの駆動量やブロワーの駆動量等を少なくし、空調装置を駆動するための仕事量が少なくなるため燃費の向上を図ることができる。
【符号の説明】
【０１４９】
１…エンジン、２…燃料噴射弁、３…燃料供給通路、４…燃料タンク、５…リターン通路、６…安全弁、７…コンプレッサー、８…コンデンサー、９…レシーバー、１０…エキスパンションバルブ、１１…エバポレーター、１２…ブロワー、１３…吸気ダクト、１４…ヒーターコア、１５…エアミックスダンパ、１６…車室、１７…エアコンスイッチ、１８…吹き出し口切り替えダイアル、１９…デフロスタースイッチ、２０…温度設定スイッチ、２１…電子制御部、２２…車室内温度センサ、２３…外気温センサ、２４…日射量センサ、２５…エバポレーター温度センサ、２６…迂回通路、２７…燃料冷却部、２８…電磁弁、２９…電磁弁制御部、３０…圧力センサ、３１…燃料温度センサ、３２…燃料量センサ、３３…電磁弁制御モード切り替えスイッチ、３４…エコスイッチ、３５…空気吹き出し口、３６…バッテリー収容室、３７…バッテリー、３８…空気吸入孔、３９…空気排出孔。
【図１】
2015117866.tif 000003
【図２】
2015117866.tif 000004
【図３】
2015117866.tif 000005
【図４】
2015117866.tif 000006
【図５】
2015117866.tif 000007
【図６】
2015117866.tif 000008
【図７】
2015117866.tif 000009
【図８】
2015117866.tif 000010
【図９】
2015117866.tif 000011
【図１０】
2015117866.tif 000012
【図１１】
2015117866.tif 000013
【図１２】
2015117866.tif 000014
【図１３】
2015117866.tif 000015
【図１４】
2015117866.tif 000016
【図１５】
2015117866.tif 000017
【図１６】
2015117866.tif 000018